(57)【要約】      （修正有）【課題】原子力発電を困難にしていることの1つは再処理の問題である。使用済核燃料中の膨大な量のウラン２３８と、放射能が高い超ウラン元素が問題である。超ウラン元素は核分裂する性能も高いが、冷却材の相変化に影響を受ける。ウランの無い超ウラン元素だけの核燃料が可能な超ウラン元素装荷原子炉及び当該原子炉による原子力発電装置を提供する。【解決手段】超ウラン元素を核燃料とした超ウラン元素装荷円筒状簡易原子炉を高温熱源とし空気冷却で、半導体により発電する。超ウラン元素を核燃料とした超ウラン元素装荷円筒状原子炉を高温熱源とし、有機減速材を冷却材とする。【選択図】図２
2017138290.tif 000002
【特許請求の範囲】
【請求項１】
原子炉は、超ウラン元素核燃料を内蔵した後記炉心１と後記原子炉容器１からなり、
原子炉容器１は、円筒状の円筒状容器（２０１）の上部に着脱可能な有孔蓋（３４０）を、当該円筒状容器（２０１）の下部に有孔底板（２０５）を敷設してなり、後記炉心１を内蔵し、
有孔底板（２０５）には空気を導入するための孔があいており、有孔蓋（３４０）には暖気を排出するための孔があいており、
炉心１は、超ウラン元素の核燃料を円筒状にした円筒超ウラン元素（２０３）をステンレス製の同軸二重円筒容器（２０２）に密封した核燃料容器（２００）と、当該核燃料容器（２００）の外側と円筒状容器（２０１）の間に敷設せる後記減速材円筒（２１１）と、前記核燃料容器（２００）の内側に敷設した後記可燃性毒物円筒（２０４）と、当該可燃性毒物円筒（２０４）の中空空間部を流れる空気と、後記の制御棒（６）からなり、
減速材円筒（２１１）は、ベリリウムまたは炭素または炭化珪素または劣化炭化ホウ素を円筒形に成形してなり、
可燃性毒物円筒（２０４）は可燃性毒物を添加したステンレス製の中空円筒であり、
中性子吸収材からなる制御棒（６）は、可燃性毒物円筒（２０４）内側空間に敷設された数個の制御棒挿入管（２２４）の中を上下動でき、
制御棒挿入管（２２４）の延長上には、前記有孔蓋（３４０）を貫通して敷設された制御棒案内管（２２３）が敷設され、
制御棒（６）の上には制御棒延長部（１２１）が接続され、当該制御棒延長部（１２１）は制御棒案内管（２２３）の中を上下動でき、
制御棒駆動装置により当該制御棒延長部（１２１）を操作することにより制御棒（６）を上下動させることを特徴とする超ウラン元素装荷円筒状簡易原子炉。
【請求項２】
請求項1における円筒状容器（２０１）の外表面に多数個固着せしp型半導体（６１）とｎ型半導体（６２）を交互に直列に接続し、
p型半導体（６１）とｎ型半導体（６２）の外表面を冷却することにより電気を発生させることを特徴とする半導体利用原子力発電装置。
【請求項３】
原子炉は、超ウラン元素核燃料を内蔵した後記炉心２と後記炉心槽１（２３０）と後記原子炉容器２からなり、
原子炉容器２は、円筒状の円筒状容器（２０１）の上部に着脱可能な密封蓋（３４１）を、当該円筒状容器（２０１）の下部に密封底板（２１５）を敷設してなり、後記炉心槽１（２３０）及び有機減速材及び後記炉心２を内蔵し、
炉心槽１（２３０）は、後記炉心２を内蔵するステンレス製の円筒であり、
炉心２は、請求項１における核燃料容器（２００）と、当該核燃料容器（２００）の内側に敷設した可燃性毒物円筒（２０４）と、前記核燃料容器（２００）の外側を流れる有機減速材と、前記可燃性毒物円筒（２０４）の中空空間部を流れる有機減速材と、制御棒（６）からなり、
炉心２及び炉心槽１（２３０）は密封底板（２１５）に固定された格子状のステンレス格子（３３０）で支持され、
中性子吸収材からなる制御棒（６）は、可燃性毒物円筒（２０４）内側空間に敷設された数個の制御棒挿入管（２２４）の中を上下動でき、
制御棒挿入管（２２４）の延長上には、前記密封蓋（３４１）を貫通して敷設された制御棒案内管（２２３）が敷設され、
制御棒（６）の上には制御棒延長部（１２１）が接続され、当該制御棒延長部（１２１）は制御棒案内管（２２３）の中を上下動でき、
制御棒駆動装置により当該制御棒延長部（１２１）を操作することにより制御棒（６）を上下動させることができ、
円筒状容器（２０１）には、炉心槽１（２３０）内側から円筒状容器（２０１）を貫通して外界に出る高温管（３０２）が敷設されており、
円筒状容器（２０１）には、炉心槽１（２３０）外側から円筒状容器（２０１）を貫通して外界に出る低温管（３０１）が敷設されており、
当該円筒状容器（２０１）と上記炉心槽１（２３０）の間には低温管（３０１）から流入した低温の有機減速材が下向きに流れており、
低温管（３０１）から流入した低温の有機減速材は、可燃性毒物円筒（２０４）の中空空間部を上向きに流れる間に高温になるもの及び当該炉心槽１（２３０）内側面と上記同軸二重円筒容器（２０２）の間を上向きに流れる間に高温になるものがあり、両高温有機減速材が高温管（３０２）から外界に流出することを特徴とする超ウラン元素装荷円筒状原子炉。
【請求項４】
軽量柱と強靭シートでドーム状に密封した釣鐘形ドーム（５０１）の中に原子炉支持格子（３２１）を設置し、
原子炉支持格子（３２１）はステンレス製の板を格子状に組み立ててなり、
当該原子炉支持格子（３２１）の上に請求項２の原子力発電装置を搭載し、
釣鐘形ドーム（５０１）に隣接した外部にフィルタ（３１５）を設置し、
釣鐘形ドーム（５０１）の上部側壁に吸気管（３１４）を敷設し、吸気管（３１４）入口には浮子弁を設け、
吸気管（３１４）により外界冷空気を上記原子炉支持格子（３２１）の下部に導入し、当該冷空気で請求項２の原子力発電装置外表面を冷却し、
釣鐘形ドーム（５０１）の頂部から下向き排気管（３１１）をフィルタ（３１５）のフィルタ入口（３１２）に接続し、下向き排気管（３１１）の途中には逆止弁を設け、
高温になった空気を下向き排気管（３１１）経由でフィルタ（３１５）のフィルタ出口（３１３）から外界空気中に放出することを特徴とする移動可能原子炉格納容器施設。
【発明の詳細な説明】
【技術分野】
【０００１】
本発明は、原子炉及び原子力発電に関する。
【背景技術】
【０００２】
原子炉とは、核燃料物質を燃料として核分裂連鎖反応を制御しながら持続させる装置である。燃料として用いられる核分裂性物質はウランやプルトニウムなどである。運転の制御や停止には制御棒と呼ばれる中性子吸収材が用いられる。
原子力発電は、上記原子炉を高温熱源として電気を発生させる。
図1は、非特許文献１、２を元にした従来の原子力発電の模式図である。
原子炉は、微濃縮ウランの酸化物からなる核燃料を内蔵した炉心と炉心槽（３）と原子炉容器（２）からなり、
原子炉容器（２）は、円筒状容器の上部に着脱可能な蓋を下部に板を敷設してなり、炉心槽（３）及び高温高圧水の冷却材及び後記炉心を内蔵している。原子炉容器（２）は、300℃で150気圧の水に耐えられるような頑丈な鋼製厚肉容器である。
炉心は、微濃縮ウランの酸化物からなる核燃料（５）と、核燃料（５）を冷却する水の冷却材と、制御棒（６）からなる。
核燃料（５）の上部は上部炉心格子板（８）で支持され、当該核燃料（５）の下部は下部炉心格子板（７）で支持されている。
核反応の制御は、制御棒（加圧水型軽水炉ではクラスタ型）の上下操作でなされる。制御棒は駆動モータを主体とする制御棒駆動装置で上下に動かされる。
核燃料（５）で発生した熱は、炉心槽（３）に流入した主低温冷却水に伝達され主高温冷却水となり、当該主高温冷却水は高温冷却水管（１１）の中を通って蒸気発生器（２０）で冷やされてから主給水ポンプ（９）で加圧されて低温冷却水管（１０）の中を通って再び原子炉容器（２）の中に戻る。冷却水の圧力は150気圧である。
蒸気発生器（２０）の中で発生した蒸気（70気圧、283℃程度）は蒸気管（２１）を通ってタービンに向かう。タービンで仕事を終えた低温低圧の蒸気は水に変換される。当該水は給水管（２２）から蒸気発生器（２０）の中に流入する。
原子炉容器（２）は原子炉格納容器（１）の中に格納されている。
【非特許文献１】：同文書院、1982年、三島良積「核燃料工学」
【非特許文献２】：オーム社、1989年、浅田他「原子力ハンドブック」。
【発明の開示】
【発明が解決しようとする課題】
【０００３】
原子力発電を今実施するためには、今後、少なくとも100年間は原子力発電が必要とされるものでなければならない。原子力発電が100年間必要であるためには、石油・LNG資源よりも長期間核燃料が日本で確保し続けられるものでなければならない。そのためには、核燃料の再処理が前提になる。
使用済み核燃料中にはウラン（特にウラン238）が大量に存在するが、再処理過程でウランは超ウラン元素と分離される。超ウラン元素は、原子番号92のウランよりも大きな原子番号を持つ元素。例えば、ネプツニウム（Nｐ）、プルトニウム（Pu）、アメリシウム（Am）、キューリウム（Cm）等がある。
超ウラン元素は放射線（α線や自発中性子）が強いため、廃棄物として保管するには多大のコストがかかる。
超ウラン元素を核燃料として使うのは、ボイド反応度係数を正にする傾向が高いため、安全性に難があるとして敬遠されてきた。
酸化物の形での超ウラン元素は、超ウラン元素からのα線が酸素にα-n反応を起こさせて中性子を発生させるため、取り扱いに難があった。
ウラン（特にウラン238）を含まない超ウラン元素のみを核燃料とすることによる利点は、炉心内の熱容量を小さくできるから、運転中の総熱量は少ない。したがって、停止後の原子炉温度は急激に下がり、崩壊熱の除去のみを注意すればよい。
原子力発電を困難にしていることの1つは再処理の問題である。使用済核燃料中の膨大な量のウラン２３８と、放射能が高い超ウラン元素である。超ウラン元素は核分裂する性能も高いが、冷却材の相変化に影響を受ける。
ウランの無い超ウラン元素だけの核燃料が可能なら炉心内の熱容量が小さく、崩壊熱除去がし易くなり安全性が高まる。
炉心を球形にして表面からの中性子漏洩を少なくし炉心核燃料装荷量を少なくすれば炉心内の熱容量を小さくできるが、球形のままだと、炉心に装荷できる核燃料の量が限られてしまう。
【課題を解決するための手段】
【０００４】
手段1は下記の特徴をもった円筒形の超ウラン元素装荷円筒状簡易原子炉である。
原子炉は、超ウラン元素核燃料を内蔵した炉心１と原子炉容器１からなる。
原子炉容器１は、ステンレス製の円筒状の円筒状容器（２０１）の上部に着脱可能な有孔蓋（３４０）を、当該円筒状容器（２０１）の下部に有孔底板（２０５）を敷設してなる。当該原子炉容器１は後記炉心１を内蔵している。
有孔底板（２０５）には空気を導入するための孔があいており、有孔蓋（３４０）には暖気を排出するための孔があいている。
炉心１は、超ウラン元素の核燃料を円筒状にした円筒超ウラン元素（２０３）をステンレス製の同軸二重円筒容器（２０２）に密封した核燃料容器（２００）と、当該核燃料容器（２００）の外側と円筒状容器（２０１）の間に敷設せる減速材円筒（２１１）と、前記核燃料容器（２００）の内側に敷設した可燃性毒物円筒（２０４）と、当該可燃性毒物円筒（２０４）の中空空間部を流れる空気と、後記の制御棒（６）からなる。
減速材円筒（２１１）は、ベリリウム、炭素、炭化珪素、劣化炭化ホウ素（中性子吸収作用が強いホウ素１０含有割合が天然での含有割合よりも少ないホウ素と、炭素との化合物。劣化Ｂ４Ｃ）といった中性子減速材を円筒形に成形してなる。前記中性子減速材をステンレスで被覆してもよい。天然ホウ素は中性子吸収作用が弱く減速作用が大きいホウ素１１と、中性子吸収作用が強いホウ素１０とからなる。
可燃性毒物円筒（２０４）は可燃性毒物を添加したステンレス製またはジルコニウム合金製の中空円筒である。ジルコニウム合金はステンレスに比べて中性子吸収割合が小さい。当該可燃性毒物円筒（２０４）の中空空間部には空気が流れている。可燃性毒物は、ガドリニウム（Gd）やエルビウム（Er）や天然ホウ素含有物（天然ホウ素と炭素との化合物B4Cやホウ化鉄）の様に、中性子を激しく吸収するが、中性子を吸収した後は中性子を殆ど吸収しなくなる。例えば、Gd155が中性子を吸収してGd156になると中性子を殆ど吸収しなくなる。B10が中性子を吸収するとLi7とヘリウムになり、どちらも中性子を殆ど吸収しない。
中性子吸収材からなる制御棒（６）は、可燃性毒物円筒（２０４）内側空間に敷設された数個の制御棒挿入管（２２４）の中を上下動できる。
制御棒挿入管（２２４）の延長上には、前記有孔蓋（３４０）を貫通して敷設された制御棒案内管（２２３）が敷設されている。
制御棒（６）の上には制御棒延長部（１２１）が接続され、当該制御棒延長部（１２１）は制御棒案内管（２２３）の中を上下動できる。
制御棒駆動装置により当該制御棒延長部（１２１）を操作することにより制御棒（６）を上下動させる。
本発明の原子炉は上記手段を特徴とする超ウラン元素装荷円筒状簡易原子炉である。
制御棒（６）は、中性子吸収割合が大きい、ハフニウムやホウ素含有物を円柱形の棒にしてステンレスで被覆してなる。天然ホウ素含有物は粉末状または焼結した天然の劣化していない炭化ホウ素(B4C)が一般的であるが、ステンレスの中に炭化ホウ素を含有せしめたボロンサスでもよい。なお、燃焼末期には、制御棒（６）として減速材や超ウラン元素からなる棒を挿入することも考えられるが人的ミスが生じ易くなるから好ましくはない。
冷却材の相変化による核分裂反応の変動を考慮しなくて済むように、炉心には沸騰し易い液体冷却材を導入しない。
仕事エネルギーの取出しのためには、高温源と低温源が必要である。更に、高温源と低温源が接する面積を大きくしないと安全な低熱流束が得られない。そこで、高温源である円筒形状の核燃料容器（２００）の内側に可燃性毒物円筒（２０４）を導入して核分裂反応を抑制し核燃料の表面積を広げた。
万一、核燃料が１塊になって核分裂反応が激しくなるのを、可燃性毒物円筒（２０４）により核燃料が１塊になり難くしているため、臨界を大きく上回ることがない。
可燃性毒物円筒（２０４）は、ステンレスに可燃性毒物を混合して円筒形にする。可燃性毒物は中性子を吸収する性質が高いが、中性子を吸収すると中性子をほとんど吸収しない。可燃性毒物があると、超ウラン元素が多く臨界超過の燃焼初期においては臨界超過の度合いを小さくする。燃焼末期になって超ウラン元素が少なく臨界超過が小さくなると、可燃性毒物は中性子を吸収して、中性子吸収を殆どしなくなっているため、若干の臨界超過を保てる。例えば、ガドリニウムやエルビウムのような融点が高い可燃性毒物が良い。
なお、減速材円筒（２１１）を同軸二重円筒容器（２０２）の内側に敷設してもよい。但し、超ウラン元素からのα線が軽質物質である炭素等に衝突すると中性子を発生させるため、再処理過程で種々の困難をもたらす。
減速材円筒（２１１）に可燃性毒物を混合すると、燃焼初期に円筒超ウラン元素（２０３）表面の核分裂が激しくなるのを抑制できる。
円筒超ウラン元素（２０３）に可燃性毒物を混合することも考えられるが、再処理過程で消耗した可燃性毒物をどう分離処理するかの問題がある。ただ、円筒超ウラン元素（２０３）に可燃性毒物を混合することは核拡散防止の観点からは望ましい。テロ集団が超ウラン元素（放射能が強い）を適切に取り扱い強力な爆発物にするのはもっと難しい。
【０００５】
可燃性毒物円筒（２０４）に添加した可燃性毒物は、燃焼初期に装荷する核燃料を多くする。その結果、燃焼期間を延長させることができる。ただ、核燃料の中には可燃性毒物を混合しないので、再処理が容易になる。
可燃性毒物円筒（２０４）に可燃性毒物を混合すると、燃焼初期の核燃料過多による臨界超過を可燃性毒物による中性子吸収で抑制できる。核燃料消耗による燃焼末期には、可燃性毒物も消耗しているから核分裂反応への障害にはならない。
本発明では周辺部に減速材円筒（２１１）があるため、周辺部に漏洩する中性子は減速されて速度の遅い中性子になる。速度の遅い中性子は周辺の減速材に反射されて炉心部に戻ってくるものがある。その結果、核燃料容器（２００）の外周部の核燃料は速度の遅い中性子により激しく核分裂する。
核燃料の核分裂で生じた熱は、減速材円筒（２１１）を構成する炭素や炭化珪素（熱伝導性能が大きい）を伝熱して円筒状容器（２０１）表面に伝わる。円筒状容器（２０１）表面に伝わった熱は、外界の気体（空気、窒素、炭酸ガス、ヘリウムや水蒸気）や液体（水や液体金属）に伝わり、除熱される。
【０００６】
減速材円筒（２１１）の存在は、炉心の表面での核分裂を活発にさせるため、円筒状容器（２０１）温度を高温にする傾向がある。核燃料溶融限度内で、円筒状容器（２０１）表面からの熱移動が効率よく行われる。
円筒状容器（２０１）の内側に液体冷却材を内蔵しないため、冷却材の相変化による圧力上昇が元で固体円筒の健全性が損なわれるようなことが少ない。更に、原子炉構成材料と水との化学反応がないため安全性対応が容易である。
【０００７】
手段2は、手段1の原子炉を高熱源とする原子力発電装置である。
手段1の円筒形の超ウラン元素装荷円筒状簡易原子炉を高温熱源として、手段1の円筒状容器（２０１）の外表面に多数個固着した、p型半導体（６１）とｎ型半導体（６２）を交互に直列に接続する。
p型半導体（６１）とｎ型半導体（６２）の外表面を冷却することにより電気を発生させることを特徴とする半導体利用原子力発電装置。
現行BWRでは、炉心の構成要素の中に冷却材である水が含まれている。冷却材を高温蒸気に変換して炉心の外に導出し、当該蒸気でタービンを回転させて発電している。しかるに、本発明では炉心の構成要素の中に冷却材である水が含まれていない。炉心で発生した熱は、円筒状容器（２０１）の表面に漏洩してくる。円筒状容器（２０１）の外は、空気や他の気体や水で冷却される。
円筒状容器（２０１）の表面に、p型半導体（６１）とｎ型半導体（６２）を固着し、p型半導体（６１）とｎ型半導体（６２）の外側表面を空気や他の気体や水で冷却すれば、電気が発生する。
本発明では、冷却材の状態により炉心挙動が影響されにくい。強いて上げれば、空気がなくなって真空になれば、炉心で発生した熱の熱伝達除去ができなくなって炉心温度が上昇するが、水が膨張して蒸気になり圧力が急上昇するようなことはない。制御棒が炉心に挿入されれば核分裂反応は著しく減少する。ただ、空気がなくなっても輻射熱除去は可能であるから円筒状容器（２０１）の健全性が著しく損なわれるということはない。更に、p型半導体（６１）とｎ型半導体（６２）が剥落すれば輻射熱除去が大きくなる。緊急時には、p型半導体（６１）とｎ型半導体（６２）の表面に炭酸ガスやドライアイスや水を散布すれば強制熱除去ができる。
万一、円筒状容器（２０１）が壊れれば炉心は崩れ落ち、超ウラン元素は床に散らばるのであろうから、再臨界は考えなくてもよい。ウランが含まれていないから床に散らばっても核燃料の量はたかがしれている。超ウラン元素は重たいから、外界に拡散し難く、狭い敷地内に留まる。
【０００８】
2種類の異なる金属または半導体の両端を接合して、両端に温度差を生じさせると起電力が生じるゼーベック効果を利用する。ゼーベック効果より電気を発生させる熱電変換素子は、多数の素子を板状、または円筒状に組み合わせた熱電モジュールとして使用される（非特許文献３）。
熱電変換素子として大きな電位差を得るためにp型半導体（p型熱電半導体）、n型半導体（ｎ型熱電半導体）を組み合わせて使用される。
熱電変換素子材料としては微量の添加物により、ｐ型半導体にもｎ型半導体にもなる以下のようなものがある。常温から500Kまでは、ビスマステルル系（Bi-Te系）。常温から800Kまでは、鉛テルル系（Pb-Te系）。常温から1000Kまでは、シリコンゲルマニウム（Si-Te系）。
図３は半導体利用発電器の模式図である。変換器要素であるp型半導体（６１）とn型半導体（６２）を電気的には直列に、熱的には並列に接続する。各要素の端は交互に高温接点である高温側接点（５４）及び低温接点である低温側接点（５３）に接続されている。
高温側接点（５４）及び低温側接点（５３）は電気的にも熱的にも伝導性の良いものである。
各高温側接点（５４）は高温板（５１）に接している。各低温側接点（５３）は低温板（５２）に接している。高温板（５１）及び低温板（５２）は電気的には絶縁体で熱的には伝導性の良いものである。
高温板（５１）を高温にし、低温板（５２）を低温にして温度差を作り、低温側接点（５３）の両端を電線で接続すると電流が流れる。図中矢印は電流が流れる方向を示す。
高温板（５１）は変換器要素へ熱を供給する。当該高温板（５１）の熱源は多種多様で、通常は化石燃料の燃焼熱である。
低温板（５２）は変換器要素から漏洩してくる熱を吸収する。吸収された熱は、通常は大気中に放散される。
【非特許文献３】：日刊工業新聞社、昭和63年、上村他「熱電半導体とその応用」。
【０００９】
手段３は、下記の特徴をもった円筒形の超ウラン元素装荷円筒状原子炉である。
原子炉は、超ウラン元素核燃料を内蔵した後記炉心２と後記炉心槽１（２３０）と後記原子炉容器２からなる。
原子炉容器２は、円筒状のステンレス製の円筒状容器（２０１）の上部に着脱可能な密封蓋（３４１）を、当該円筒状容器（２０１）の下部に密封底板（２１５）を敷設してなり、後記炉心槽１（２３０）及び有機減速材及び後記炉心２を内蔵している。
炉心槽１（２３０）は、後記炉心２を内蔵するステンレス製の薄肉円筒である。
炉心２は、手段１における核燃料容器（２００）と、当該核燃料容器（２００）の内側に敷設した可燃性毒物円筒（２０４）と、前記核燃料容器（２００）の外側を流れる有機減速材と、前記可燃性毒物円筒（２０４）の中空空間部を流れる有機減速材と、制御棒（６）からなる。
可燃性毒物円筒（２０４）は手段1と同じく可燃性毒物を添加したステンレス製の中空円筒である。当該可燃性毒物円筒（２０４）の中空空間部には有機減速材が流れている。
炉心２及び炉心槽１（２３０）は密封底板（２１５）に固定された格子状のステンレス格子（３３０）で支持されている。
核燃料容器（２００）の外側を流れる有機減速材は、円筒超ウラン元素（２０３）の核分裂反応に大きく寄与する。超ウラン元素の内核分裂反応が激しいプルトニウム２３９、２４１、メタステイブルアメリシウム（Am242m）等は、核燃料容器（２００）内で発生した中性子は元より、核燃料容器（２００）内から漏洩してきて有機減速材で減速されて再び核燃料容器（２００）に戻ってきた低速中性子も加わって激しく核分裂する。
中性子吸収材からなる制御棒（６）は、可燃性毒物円筒（２０４）内側空間に敷設された数個の制御棒挿入管（２２４）の中を上下動できる。
制御棒挿入管（２２４）の延長上には、前記密封蓋（３４１）を貫通して敷設された制御棒案内管（２２３）が敷設されている。
制御棒（６）の上には制御棒延長部（１２１）が接続され、当該制御棒延長部（１２１）は制御棒案内管（２２３）の中を上下動できる。
制御棒駆動装置により当該制御棒延長部（１２１）を操作することにより制御棒（６）を上下動させることができる。
円筒状容器（２０１）には、炉心槽１（２３０）内側から円筒状容器（２０１）を貫通して外界に出る高温管（３０２）が敷設されている。高温管（３０２）の高さは、円筒超ウラン元素（２０３）頭部よりも上である。
円筒状容器（２０１）には、炉心槽１（２３０）外側から円筒状容器（２０１）を貫通して外界に出る低温管（３０１）が敷設されている。
当該円筒状容器（２０１）と上記炉心槽１（２３０）の間には低温管（３０１）から流入した低温の有機減速材が下向きに流れている。低温管（３０１）は、外界（例えば蒸気発生器）からの低温の有機減速材を円筒状容器（２０１）内に導入する。
低温管（３０１）の高さは、円筒超ウラン元素（２０３）頭部よりも上である。低温管（３０１）に亀裂が入っても炉心内の有機減速材は円筒超ウラン元素（２０３）の頂部まであるから超ウラン元素を冷却できる。
低温管（３０１）から流入した低温の有機減速材は、可燃性毒物円筒（２０４）の中空空間部を上向きに流れる間に高温になるもの（高温有機減速材）及び当該炉心槽１（２３０）内側面と上記同軸二重円筒容器（２０２）の間を上向きに流れる間に高温になるもの（高温有機減速材）があり、両高温有機減速材が高温管（３０２）から外界（例えば蒸気発生器）に流出する。有機減速材は低温管（３０１）から再び円筒状容器（２０１）内に入ってくる。
本発明の原子炉は上記手段を特徴とする超ウラン元素装荷円筒状原子炉である。
有機減速材は、ポリフェニル類の液状の有機材であるタフェニルまたはジフェニルとする。炭素と水素を多く含有し、高温と放射線に強い。炭素と水素は中性子減速材でもある。当該有機減速材は300℃になっても沸騰しないため、相変化による圧力上昇の恐れは小さい。極端な場合には自動車用エンジンオイルでもよい。厄介な超ウラン元素を燃焼消滅させるのであるから、消滅費用を受け取れる可能性がある。したがって、自動車用エンジンオイル使用で原子炉効率が落ちても問題は少ない。
円筒超ウラン元素（２０３）から漏洩した中性子は当該有機減速材で減速されてから再び炉心に戻るため、同軸二重円筒容器（２０２）に近い表面部分の円筒超ウラン元素（２０３）は激しく核分裂する。したがって、当該表面部分の出力が高く、発熱も大きいため、有機減速材への熱伝達が大きい。
なお、有機減速材の水素分を重水素に置き換えれば中性子の無駄な吸収が減り、表面部分の円筒超ウラン元素（２０３）は有効に核分裂する。
円筒超ウラン元素（２０３）量が多い燃焼初期に、核分裂反応が過度にならないように、可燃性毒物円筒（２０４）には可燃性毒物を添加した。可燃性毒物円筒（２０４）内側の冷却はステンレス格子（３３０）から流入する有機減速材である。可燃性毒物があれば中性子が吸収され核分裂反応が抑制されるため、可燃性毒物円筒（２０４）の温度が過度に大きくはならない。
なお、燃焼末期に可燃性毒物円筒（２０４）内の可燃性毒物量を若干残存させることは、安全性上好ましい。何らかの原因で原子炉の核分裂反応が急上昇しても、可燃性毒物によって連鎖反応を抑制できる。
【００１０】
手段４は、万一の事故時における放射性物質の放散に対する障壁を形成する原子炉格納容器施設である。
軽量柱と強靭シートでドーム状に密封した釣鐘形ドーム（５０１）の中に原子炉支持格子（３２１）を設置する。
原子炉支持格子（３２１）はステンレス製の板を格子状に組み立ててなる。
当該原子炉支持格子（３２１）の上に手段２の原子力発電装置を搭載する。
釣鐘形ドーム（５０１）に隣接した外部にフィルタ（３１５）を設置する。
釣鐘形ドーム（５０１）の上部側壁に吸気管（３１４）を敷設する。砂漠に設置する場合でも、豪雨や上流での洪水を考慮して高い位置に敷設した。吸気管（３１４）の吸入口には浮子弁を付けて、浸水を防ぐ。
吸気管（３１４）により外界冷空気を上記原子炉支持格子（３２１）の下部に導入し、当該冷空気で手段２の原子力発電装置外表面を冷却する。
釣鐘形ドーム（５０１）の頂部から下向き排気管（３１１）をフィルタ（３１５）のフィルタ入口（３１２）に接続する。下向き排気管（３１１）の途中に逆止弁を設置して浸水を防ぐ。
高温になった空気を下向き排気管（３１１）経由でフィルタ出口（３１３）か外界空気中に放出することを特徴とする移動可能原子炉格納容器施設である。
軽量柱には炭化珪素製柱や炭素やジュラルミンやチタンや高張力鋼薄肉管がある。強靭シートには炭素繊維シートやガラス繊維がある。なお、釣鐘形ドーム（５０１）の底もジュラルミンや炭素繊維シートで密封する。
釣鐘形ドーム（５０１）を地表又は地中に炭化珪素製柱と炭素繊維シートでドーム状に組み立て、その後原子炉支持格子（３２１）を設置し、原子力発電装置を搭載する。
フィルタ出口（３１３）に真空式電気掃除機を近づければ、強制冷却もできる。
手段２の原子力発電装置は高圧または爆発にはなり難いから、移動可能原子炉格納容器施設は軽量なものでよい。
冷却水が得難い僻地に人々が長期間滞在する場合でも、電力確保が重要である。人員用冷暖房電源、重機電源、電気機器電源、電気自動車やドローンの電源となる。
万一、放射性気体が釣鐘形ドーム（５０１）の頂部に溜まっても下向き排気管（３１１）からフィルタ（３１５）に吸い出されるため、広く外界を汚染しない。放射性固体は釣鐘形ドーム（５０１）の底部に溜まる。
砂嵐対策は当該格納容器の周囲に砂袋を積む。或は重車両で格納容器の周囲を囲めばよい。
外界との接触が断たれても存続自立が要求される軍隊の駐屯地は元より、小グループの軍隊毎にあると便利である。平時には、超ウラン元素は軍隊によって守られていることになる。
【発明の効果】
【００１１】
現行BWRのように酸化ウラン235濃縮度が3wt%で密度が約11gm/ccの核燃料に代えて、全核燃料を金属ウラン235濃縮度が100wt%で密度が約19gm/ccでの核燃料とすれば、現行BWRに装荷されている核燃料の体積割合が大幅に削減されることになる。超ウラン元素の内の約７０％は核分裂が激しいから、金属ウラン235濃縮度が７0wt%の金属ウランに相当する。
核燃料の再処理は、使用済み超ウラン元素を熱溶解し、溶液の上部を除去するだけでよい。溶液の上部は軽元素であり、下部は重い超ウラン元素である。超ウラン元素の中に若干の不純物が含有されようとも大きな問題にはならない。再処理費用を低減させること、超ウラン元素を消滅させることが重要である。本発明の原子炉の熱効率は低いと予想されるが建設費は安いと考えられる。
原子炉に装荷する核物質の量を極力減らしたため、万一、核物質が外界に漏洩しても漏洩全量は少ない。更に、超ウラン元素の密度は大きいから、仮に四散してもすぐに地上に落下するから事故の影響範囲を狭く限定できる。原子力発電所敷地内に限定できる。
本発明では原子炉に水を使わないため、金属―水反応は考えなくて済むし、70気圧以上にもなる原子炉圧力容器を準備しなくて済む。安全性がかなり高くなる。大爆発し難く融解程度であろうから、核物質は四散することなく敷地内に留まるから、事故が遠くまで影響しない。爆発がないことは、放射性気体や放射性固体も地上高く舞い上がることはないから、格納容器があれば敷地近辺に留まる。格納容器の排気口は下向きであるから、放射性固体の多くは地表に吸着される。煙突は付けてはいけない。自分のゴミを遠くに放り投げるようなまねはしない。
万一、炉心が溶融しても、原子炉に装荷されている核物質の量が非常に少ないため、非常用冷却に大量の冷却材は不要である。
超ウラン元素の内、プルトニウム238,240,242をはじめとして多くは、自発中性子を放出する。したがって、万一、本発明における炉心が一気に球形になり、臨界超過になっても、自発中性子があるため、臨界超過に至る途中から核分裂反応が激しくなり燃焼し球形形状は保てないであろうから、急速な燃焼である爆発にはなり難い。燃焼であるなら、炉心は熱溶融するから、核物質は溶融し、やがては冷えて敷地内に留まる。
本発明の大規模化は、本発明の原子炉を多数基、間隔を空けて設置すればよい。各基は簡単な原子炉格納容器で覆い、数基に1つの割合で大きな空容器とフィルタを用意しておけばよい。
僻地にあるドローン用の電源に最適である。電動モータ駆動のドローンは、落下しても森林火災を起こしにくい。
本発明の原子力発電装置は、緊急時電源としてジーゼル発電装置よりも勝っている。ジーゼル発電装置は、空気吸入口と排気口が必須である。吸排気口からの浸水は防ぎ難い。しかるに、本発明の原子力発電装置は空気が不要であり、建屋内の雰囲気循環により冷却できる。
ジーゼル発電機には蓋付換気扇がついているが、非常用ジーゼルを稼働させると換気が行われ、換気扇の蓋が半開きになる。津波や洪水のとき、蓋近辺に水面がくると半開きの所から浸水する恐れがある。これに比べて、本発明の原子炉格納容器は浸水に強い。
【発明を実施するための最良の形態】
【００１２】
超ウラン元素が効率よく燃焼できて、かつ、再処理し易い原子炉が提供できた。
【実施例１】
【００１３】
図２は本発明の超ウラン元素装荷円筒状簡易原子炉を高温熱源とした半導体利用原子力発電装置の概観図である。
超ウラン元素装荷円筒状簡易原子炉は、超ウラン元素核燃料を内蔵した炉心１と原子炉容器１からなる。
原子炉容器１は、円筒状のステンレス製の円筒状容器（２０１）の上部に着脱可能な有孔蓋（３４０）を、下部に有孔底板（２０５）を敷設してなり、後記炉心１を内蔵している。
有孔底板（２０５）には冷気を導入するための孔があいており、有孔蓋（３４０）には暖気を排出するための孔があいている。
炉心１は、超ウラン元素の核燃料を円筒状にした円筒超ウラン元素（２０３）をステンレス製の同軸二重円筒容器（２０２）に密封した核燃料容器（２００）と、当該核燃料容器（２００）の外側と円筒状容器（２０１）の間に敷設せる減速材円筒（２１１）と、前記核燃料容器（２００）の内側に敷設した可燃性毒物円筒（２０４）と、当該可燃性毒物円筒（２０４）の中空空間部を流れる空気と、後記の制御棒（６）からなる。
円筒超ウラン元素（２０３）を内蔵している同軸二重円筒容器（２０２）の数か所に隔離壁を設けてある。同軸二重円筒容器（２０２）に部分的に亀裂が入っても、当該箇所の円筒超ウラン元素（２０３）に影響が限定される。例えば、核分裂生成物の気体放出に制限をすることができる。
減速材円筒（２１１）は、ベリリウムまたは炭素または炭化珪素または劣化炭化ホウ素を円筒形に成形してなる。
可燃性毒物円筒（２０４）は可燃性毒物を添加したステンレス製の中空円筒である。
中性子吸収材からなる制御棒（６）は、可燃性毒物円筒（２０４）内側空間の流動空気中に敷設された数個の制御棒挿入管（２２４）の中を上下動できる。
制御棒挿入管（２２４）の延長上には、前記有孔蓋（３４０）を貫通して敷設された制御棒案内管（２２３）が敷設されている。
制御棒（６）の上には制御棒延長部（１２１）が接続され、当該制御棒延長部（１２１）は制御棒案内管（２２３）の中を上下動できる。
制御棒駆動装置により当該制御棒延長部（１２１）を操作することにより制御棒（６）を上下動させる。
安全性を向上させるために、緊急時制御棒挿入管を敷設し、緊急時制御棒の挿入を可能にした。
超ウラン元素装荷円筒状簡易原子炉を高温熱源とした半導体利用原子力発電装置は、上記円筒状容器（２０１）の外表面に多数個固着せしp型半導体（６１）とｎ型半導体（６２）を交互に直列に接続し、p型半導体（６１）とｎ型半導体（６２）の外表面を冷却することにより電気を発生させる。
【実施例２】
【００１４】
図４は、本発明の超ウラン元素装荷原子炉を高温熱源とした半導体利用原子力発電装置を格納する移動可能原子炉格納容器施設の概観図である。
軽量柱と強靭シートでドーム状に密封した釣鐘形ドーム（５０１）の中に原子炉支持格子（３２１）を設置する。強靭シートは炭素繊維シートやビニロンやナイロンやビニールのシートでもよい。
原子炉支持格子（３２１）はステンレス製の板を格子状に組み立ててなる。
当該原子炉支持格子（３２１）の上に手段２の原子力発電装置を搭載する。
釣鐘形ドーム（５０１）に隣接した外部にフィルタ（３１５）を設置する。
釣鐘形ドーム（５０１）の上部側壁に吸気管（３１４）を敷設する。吸気管（３１４）の吸入口には浮子弁を付けて、浸水を防ぐ。当該吸気管（３１４）の吸入口近傍に簡易フィルタを設置して空中の塵を除去する。
吸気管（３１４）により外界冷空気を上記原子炉支持格子（３２１）の下部に導入し、当該冷空気で手段２の原子力発電装置外表面を冷却する。
釣鐘形ドーム（５０１）の頂部から下向き排気管（３１１）をフィルタ（３１５）のフィルタ入口（３１２）に接続する。下向き排気管（３１１）の途中に逆止弁を設置して浸水を防ぐ。
高温になった空気を下向き排気管（３１１）経由でフィルタ（３１５）のフィルタ出口（３１３）か外界空気中に放出する。
地表に設置してもよい。
半導体利用原子力発電装置、釣鐘形ドーム（５０１）部品である炭化珪素製柱と炭素繊維シート、原子炉支持格子（３２１）、吸気管（３１４）、下向き排気管（３１１）、フィルタ（３１５）を個別に運搬し、現地で組み立てる。
発電装置部分が機能しなくても暖房は可能である。鉄板やポリエチレンや蓄電池があればそれらを放射線遮蔽壁とし、当該ドームの中に避難できる。フィルタ出口（３１３）からの暖気を暖房用に利用できる。
半導体利用原子力発電装置を格納する移動可能原子炉格納容器施設を複数基ずつ要所、要所に配備すれば分散型発電所になる。高圧送電線も不要になり、送電ロスもない。
建設費は安いから電気代もやすくなるから、細かい需給調節はせずに、余剰電力は外界に放出すればよい。
【実施例３】
【００１５】
図５は、本発明の超ウラン元素装荷円筒状原子炉の概観図である。
超ウラン元素装荷円筒状原子炉は、超ウラン元素核燃料を内蔵した炉心２と炉心槽１（２３０）と原子炉容器２からなる。
原子炉容器２は、円筒状の円筒状容器（２０１）の上部に着脱可能な密封蓋（３４１）を、当該円筒状容器（２０１）の下部に密封底板（２１５）を敷設してなり、後記炉心槽１（２３０）及び有機減速材及び後記炉心２を内蔵している。
炉心槽１（２３０）は、後記炉心２を内蔵するステンレス製の円筒である。
炉心２は、超ウラン元素の核燃料を円筒状にした円筒超ウラン元素（２０３）をステンレス製の同軸二重円筒容器（２０２）に密封した核燃料容器（２００）と、核燃料容器（２００）の内側に敷設した可燃性毒物円筒（２０４）と、前記核燃料容器（２００）の外側を流れる冷却材の有機減速材と、前記可燃性毒物円筒（２０４）の中空空間部を流れる冷却材の有機減速材と、後記の制御棒（６）からなる。
可燃性毒物円筒（２０４）は可燃性毒物を添加したステンレス製の中空円筒である。
炉心２及び炉心槽１（２３０）は密封底板（２１５）に固定された格子状のステンレス格子（３３０）で支持されている。
円筒超ウラン元素（２０３）を内蔵している同軸二重円筒容器（２０２）の数か所に隔離壁を設けた。場合によっては、核燃料容器（２００）を4分割程度に分割すれば、核燃料交換は容易になる。
中性子吸収材からなる制御棒（６）は、可燃性毒物円筒（２０４）内側空間に敷設された数個の制御棒挿入管（２２４）の中を上下動できる。
制御棒挿入管（２２４）の延長上には、前記密封蓋（３４１）を貫通して敷設された制御棒案内管（２２３）が敷設されている。
制御棒（６）の上には制御棒延長部（１２１）が接続され、当該制御棒延長部（１２１）は制御棒案内管（２２３）の中を上下動できる。
制御棒駆動装置により当該制御棒延長部（１２１）を操作することにより制御棒（６）を上下動させることができる。
緊急時制御棒挿入管を敷設し、緊急時制御棒の挿入を可能にした。
円筒状容器（２０１）には、炉心槽１（２３０）内側から円筒状容器（２０１）を貫通して外界に出る高温管（３０２）が敷設されている。高温管（３０２）の先にある蒸気発生器とタービンと発電機により発電する。
円筒状容器（２０１）には、炉心槽１（２３０）外側から円筒状容器（２０１）を貫通して外界に出る低温管（３０１）が敷設されている。
当該円筒状容器（２０１）と上記炉心槽１（２３０）の間には低温管（３０１）から流入した低温の有機減速材が下向きに流れている。
低温管（３０１）から流入した低温の有機減速材は、可燃性毒物円筒（２０４）の中空空間部を上向きに流れる間に高温になるもの及び当該炉心槽１（２３０）内側面と上記同軸二重円筒容器（２０２）の間を上向きに流れる間に高温になるものがあり、両高温有機減速材が高温管（３０２）から外界に流出する。
設計余裕を高めるために、予備制御棒案内管を敷設した。
【産業上の利用可能性】
【００１６】
電力自由化は、現行電力会社にとって千載一遇の儲け時である。新規小規模電力会社の高コスト電力料金相当の値段で販売できる。夜昼電力需要差によるコスト増回避は、太陽光発電を積極的に購入して消費者に全額負担してもらう（電気料金上昇は太陽光発電のせいであることをTVのCMに流す必要はある。予備発電設備はできるだけ持たない）。再び規制が行われる迄に稼いでおく必要がある。
原子力が再び見直された時に、本発明が役に立つ。
大国に隣接する小国は存立の観点から核関連技術が必要である。軍事的には核兵器であり、封鎖によるエネルギー遮断にも耐えられるように原子力発電が必要である。更には、近隣大国が持つ核関連装置の誤爆、誤操作、大国が周辺国へ核兵器行使した時、放射能防護の技術的蓄積が重要である。
原子力発電による使用済み核燃料からは超ウラン元素が発生する。これを廃棄物とすると処分場が必要になる。処分場探しは困難である。そこで、本発明を使えば、処分場は不要になるばかりでなく、原子力発電用の核燃料として超ウラン元素を使うため、エネルギー源確保にもなる。ちなみに、低濃縮ウランを核燃料とする現行軽水炉による原子力発電では、低濃縮ウランの輸入が必要であるから、封鎖によりエネルギー遮断の恐れがある（ただ、低濃縮ウランの備蓄は石油よりも容易である）。
街頭インタビューで、「原発は怖くないですか」と問えば鸚鵡返しで「原発は怖い」となる。不思議なことに、「どんな発電なら怖くないですか」とインタビューを続けることはしない。
更に不思議なことに、太陽光発電推奨の新聞社が自前または自主契約の「太陽光発電設備を持たずに」一般の人様に太陽光発電を薦めるのは如何なものか。町村民は、自分が使って良いものだと確信してから人様に進めるのが普通である。
固定価格買取制度は金持ち優遇策である。年金生活者も高価な固定価格込の電気料金を環境心配金持のために払わされる。環境心配金持が太陽光発電電力を全量買い取るべきである。生活困窮者にとって今の生活費が問題であって、自分が確実に生きていない未来の地球温度が本当に炭酸ガスで決まるのか疑わしいし、仮に温暖になっても南北に長い日本列島であれば北海道でバナナを収穫し、北海道で米の二毛作が可能になろう。生活困窮者のためにと、意識して生きていた人々が過去にいた形跡はない。それなのに、何故自分達が負担しなければならないのかと疑問を持つであろう。元政治家の中には太陽光発電を政治問題化しようとする者がいるが、全電気料金を太陽光発電気の料金で払ってから、太陽光発電推進を言うべきである。生活困窮者に太陽光発電料金を負担させて、元政治家はその分安くなった太陽光発電を使うことになる。こすっからい。
産業革命時にさんざん石炭を非効率に燃焼させて大気中に炭酸ガスを放出しておきながら、今更発展途上国に石炭を使うなとは身勝手過ぎる。イギリスは旧植民地に太陽光発電設備を無償で設置すべきということになる。
心底表面エネルギー利用発電が良いと思う新聞社は、元東大総長小宮山宏さんの「小宮山エコハウス」の現状を毎年取材放映するくらいの努力が欲しい。ちなみに、石炭やウランも自然エネルギー源である。
太陽光発電には問題があるが、現状固定価格買取制度を変えればそれなりの価値がある。特に、太陽光に依存する太陽光発電は、農業と同様に日照不足や雨霰嵐といった気象変動に弱い。気象変動の弱点を本発明の原子炉でカバーすれば役に立つ。
多くの人の中に蓄電池で夜間電力はカバーできるというが、蓄電池が高価だということの他に、昼間用の他に別途夜間用の太陽光電池と蓄電池及びそれぞれの設置場所とが必要である。梅雨時の長日数雨天時期用には、数日間分の昼間用と夜間用に別途長日数分の太陽光電池と設置場所と蓄電池が必要である。高地価の都心に長日数分の太陽光電池の設置場所を用意するのは難しい。低地価の遠方に設置するのは、送電線設置費用と送電線設置場所の交渉が大変である。
飛行機から砂利を撒かれた時のことを考えて破損太陽光電池の撤去作業空間を設け、瓦礫捨て場として富士山裾野住人の取付けをしておかなければならない。自分はやりたくなくても相手のいることだから戦争を仕掛けられても守り難い国になる。
上記の諸々を考え、その対応策を考えた末に、それでも太陽光発電が良いといっているようには見えない。太陽光発電信奉者に設置させねば収まらないから設置させ、ある程度広く太陽光発電が設置されれば、農業（リスクが高い業務の1つ）と同様に自然災害で破損するものも目に見えて増えてくるから、声高に叫ぶ者も少なくなるであろう。太陽光発電は、高齢農業者の小規模土地に敷設し、1日のピーク時対応とすれば、それなりに有用ではある。
昔は銀行が護送船団方式だったが、今の日本は社会全体が弱者中心（身体的危険なく経済的リスクなく衛生的で健康で長寿命でアレモコレモ）の護送船団方式になっている。高コスト社会になっているから、世界的グローバル化の時代にあって後進国になりつつある。そのうち、円が凋落し輸入物価が高騰し、超貧国になる。天然ガスの輸入もできなくなるから、電気くらいは、太陽光と原子力（濃縮ウラン輸入代金はないから、本発明のように超ウラン元素使用）で賄うしかなくなる。
少数の企業ぐらいは赤字や不良資産を日本に残して国籍を変えて、交通費タダ（混雑した電車の屋根に乗って通勤する）、福利厚生費タダ（スモッグの中で生活する労働者）、生活保護や年金用税金がない国に行って生き延びて欲しい。外国で定年近くになった社員は国籍を日本に代えて日本の厚生年金で暮らしてもらう。
今、質の安心安全（低農薬穀物、太陽光、水素、ＬＮＧ）を追及し量の安心安全（遺伝子組み換え穀物、石炭、原子力）をおろそかにしている。しかし、量の安心安全の低下は確実に質の安心安全の低下をもたらす。
安定な生活が維持持続できる水準は相当低いものであろうが、一生涯衣食住に困らないと人々が思っていればその国は安定する。エネルギー的には、太陽光と非濃縮ウラン使用原子力と石炭（ウランの枯渇対応）と劣化ウラン備蓄（堤防材）が安定な生活を維持持続するために必要である。
【図面の簡単な説明】
【００１７】
【図１】従来の原子力発電の模式図。
【図２】本発明の超ウラン元素装荷球状原子炉と半導体利用原子力発電装置の概観図。
【図３】半導体利用発電器の模式図。
【図４】本発明の超ウラン元素装荷原子炉を高温熱源とした半導体利用原子力発電装置を格納する移動可能原子炉格納容器施設の概観図。
【図５】本発明の超ウラン元素装荷円筒状原子炉の概観図。
【符号の説明】
【００１８】
１は原子炉格納容器。
２は原子炉容器。
３は炉心槽。
４は制御棒駆動装置。
５は核燃料。
６は制御棒。
７は下部炉心格子板。
８は上部炉心格子板。
９は主給水ポンプ。
１０は低温冷却水管。
１１は高温冷却水管。
２０は蒸気発生器。
２１は蒸気管。
２２は給水管。
５１は高温板。
５２は低温板。
５３は低温側接点。
５４は高温側接点。
６１はp型半導体。
６２はｎ型半導体。
１２１は制御棒延長部。
２００は核燃料容器。
２０１は円筒状容器。
２０２は同軸二重円筒容器。
２０３は円筒超ウラン元素。
２０４は可燃性毒物円筒。
２０５は有孔底板。
２１１は減速材円筒。
２１５は密封底板。
２２３は制御棒案内管。
２２４は制御棒挿入管。
２３０は炉心槽１。
３０１は低温管。
３０２は高温管。
３１１は下向き排気管。
３１２はフィルタ入口。
３１３はフィルタ出口。
３１４は吸気管。
３１５はフィルタ。
３２１は原子炉支持格子。
３３０はステンレス格子。
３４０は有孔蓋。
３４１は密封蓋。
５０１は釣鐘形ドーム。
【図１】
2017138290.tif 000003
【図２】
2017138290.tif 000004
【図３】
2017138290.tif 000005
【図４】
2017138290.tif 000006
【図５】
2017138290.tif 000007